(57)【要約】  本発明は、水平トラフからケーブルを経路付ける、スピルオーバーフィッティング（１００）を目的とする。スピルオーバーフィッティングは、フィッティング壁部（１０５）およびフィッティング壁部の間に位置付けられた床面を有する。床面は、水平トラフ内へ延びる延長フランジ（１１０）を有する。スピルオーバーフィッティングは、延長フランジから延びる内蔵部材（１１５）も有する。内蔵部材は、水平トラフから出てスピルオーバーフィッティング内へ経路付けられたケーブルを収容するため、水平トラフの上方に位置付けられる。
2012511303.tif 000002
【特許請求の範囲】
【請求項１】
水平トラフからケーブルを経路付けるためのスピルオーバーフィッティングであって、
フィッティング壁部と、
前記水平トラフ内へ延びる延長フランジを有する、前記フィッティング壁部の間に位置付けた床面と、
前記水平トラフから出てスピルオーバーフィッティング内へ経路付けされたケーブルを収容するために前記水平トラフの上方に位置付けられた、前記延長フランジから延びる内蔵部材と、を備える、スピルオーバーフィッティング。
【請求項２】
前記各フィッティング壁部が、前記水平トラフから出て前記スピルオーバーフィッティング内へ経路付けされた前記ケーブルを制御するための湾曲した誘導壁部を有する、請求項１に記載のスピルオーバーフィッティング。
【請求項３】
前記湾曲した誘導壁部が、前記フィッティング壁部の底部から前記水平トラフの頂壁部へ延びる、請求項２に記載のスピルオーバーフィッティング。
【請求項４】
前記内蔵部材が前記延長フランジと一体構造に形成される、請求項１に記載のスピルオーバーフィッティング。
【請求項５】
前記内蔵部材がスナップ部材を有し、かつ前記延長フランジがスナップアームを有し、それにより、前記延長フランジ内の前記スナップアームが前記内蔵部材の前記スナップ部材を受け入れて、前記内蔵部材を前記スピルオーバーフィッティングへ固定する、請求項１に記載のスピルオーバーフィッティング。
【請求項６】
前記内蔵部材が、前記延長フランジの中間点から延びる、請求項１に記載のスピルオーバーフィッティング。
【請求項７】
前記内蔵部材が、前記延長フランジから延びる第１の部分と、前記第１の部分に垂直な第２の部分とを含む、請求項１に記載のスピルオーバーフィッティング。
【請求項８】
前記第１の部分が丸みを帯びた形状を有する、請求項７に記載のスピルオーバーフィッティング。
【請求項９】
前記第１の部分が、前記第１の部分の各々の側をケーブルが通れるようにするための曲げ半径を有する、請求項７に記載のスピルオーバーフィッティング。
【請求項１０】
前記第２の部分が、各アームの遠位端部において下側に向かう湾曲部を持つ、対向する方向に延びる一対のアームを有する、請求項７に記載のスピルオーバーフィッティング。
【請求項１１】
前記第２の部分が、対向する方向に延びる一対のアームを有し、前記各アームが、前記各アームの遠位端部において下側に向かう湾曲部へ導く上側に向かう湾曲部を有する、請求項７に記載のスピルオーバーフィッティング。
【請求項１２】
前記各フィッティング壁部が、前記水平トラフから出て前記スピルオーバーフィッティング内へ経路付けされたケーブルを制御するための湾曲した誘導壁部を有する、請求項７に記載のスピルオーバーフィッティング。
【請求項１３】
前記湾曲した誘導壁部および前記内蔵部材の前記第２の部分が、前記水平トラフからケーブルを経路付けるためのケーブル配線経路を画定する、請求項１２に記載のスピルオーバーフィッティング。
【請求項１４】
前記第２の部分が、上方に前記湾曲した誘導壁部方向へ延びる、請求項１２に記載のスピルオーバーフィッティング。
【請求項１５】
水平トラフからケーブルを経路付けるためのスピルオーバーフィッティングであって、
それらの間の幅を画定するように距離を開けて位置付けられたフィッティング壁部であって、前記各フィッティング壁部は第１の端部および第２の端部を有し、前記第１の端部の幅は前記第２の端部の幅と同一であるフィッティング壁部と、
前記水平トラフ内へ延びる延長フランジを有する、前記フィッティング壁部の間に位置付けられた床面と、
前記延長フランジから延びる内蔵部材と、を備える、スピルオーバーフィッティング。
【請求項１６】
ケーブル管理システムであって、
水平トラフと、
フィッティング壁部および前記フィッティング壁部の間に位置付けられた床面を含み、前記水平トラフから出たケーブルを経路付けるために、前記水平トラフ上に位置付けられたスピルオーバーフィッティングと、を備え、
前記床面が、前記水平トラフ内へ延びる延長フランジ、および前記延長フランジから延びる内蔵部材を有し、前記内蔵部材が、前記水平トラフから出て前記スピルオーバーフィッティング内へ経路付けられた前記ケーブルを収容するため前記水平トラフの上方に位置付けられる、ケーブル管理システム。
【発明の詳細な説明】
【技術分野】
【０００１】
本発明は、一般に、ケーブル管理に関し、より具体的には、レースウェイ、トラフまたは他のケーブル管理器具を使用した取り付けのような、現場の用途に用いられるスピルオーバーフィッティングに関する。
【背景技術】
【０００２】
ダクトおよびレースウェイの側壁から出る、またそれらの上方を通るケーブルを経路付けるのに役立つケーブル出口トラフまたはスピルオーバー装置は周知である。光ファイバケーブルを扱う際、スピルオーバーフィッティングが経路付けられるケーブルの曲げ半径の制御を提供すべきであることも周知である。従って、改善されたスピルオーバーフィッティングを有することが望ましい。
【発明の概要】
【課題を解決するための手段】
【０００３】
スピルオーバーフィッティングは、水平トラフからケーブルを経路付けるため、水平トラフ上に位置付けられる。スピルオーバーフィッティングは、フィッティング壁部およびフィッティング壁部の間に位置付けられた床面を有する。床面は、水平トラフ内へ延びる延長フランジを有する。スピルオーバーフィッティングは、延長フランジから延びる内蔵部材も有する。内蔵部材は、水平トラフから出てスピルオーバーフィッティングに経路付けられたケーブルを収容するため、水平トラフの上方に位置付けられる。
【図面の簡単な説明】
【０００４】
【図１Ａ】本発明によるスピルオーバーの正面斜視図である。
【図１Ｂ】図１Ａのスピルオーバーの分解斜視図である。
【図１Ｃ】図１Ａのスピルオーバーの内蔵部材の斜視図である。
【図１Ｄ】図１Ａのスピルオーバーの正面立面図である。
【図１Ｅ】水平トラフから出て経路付けられるケーブルを示す、図１Ａのスピルオーバーの正面立面図である。
【図１Ｆ】図１Ａのスピルオーバーの側面立面図である。
【図２Ａ】本発明によるスピルオーバーの代替的な実施形態の正面斜視図である。
【図２Ｂ】図２Ａのスピルオーバーの正面立面図である。
【図３Ａ】本発明によるスピルオーバーの別の代替的な実施形態の正面斜視図である。
【図３Ｂ】図３Ａのスピルオーバーの正面立面図である。
【図３Ｃ】図３Ａのスピルオーバーの内蔵部材の正面斜視図である。
【図４Ａ】本発明によるスピルオーバーの別の代替的な実施形態の正面斜視図である。
【図４Ｂ】図４Ａのスピルオーバーの正面立面図である。
【図４Ｃ】水平トラフから出て経路付けられるケーブルを示す、図４Ａのスピルオーバーの正面立面図である。
【発明を実施するための形態】
【０００５】
図１Ａ〜図１Ｆは、２×２インチの出口端寸法を有する、スピルオーバー１００の１つの実施形態を示す。スピルオーバー１００は、水平トラフ４０から経路付けられるケーブル３０の出口経路を画定する、２つの壁部１０５および床面１０６を有する。各壁部１０５は、水平トラフ４０の上方に配置されるように、そこから延びる湾曲した誘導壁部１０８を有し、水平トラフ４０から経路付けられるケーブル３０を制御し得る。誘導壁部１０８は、図１Ｅに示すように、水平トラフ４０の側壁の頂部より下方には延びない。床面１０６はまた、延長フランジ１１０を有する。
【０００６】
図１Ａ〜図１Ｆにも見られるように、スピルオーバー１００は、概ねＴ字形であり、第１の部分１２０および第２の部分１２５を持つ、内蔵部材１１５を有する。内蔵部材１１５は、スピルオーバー１００とは別に形成され、適切な手段により接続される。この実施形態では、内蔵部材１１５は、対応するスナップアーム１３５を係合させ、内蔵部材１１５をスピルオーバー１００の床面延長フランジ１１０に固定する、スナップ機構１３０を有する（図１Ｂ参照）。内蔵部材１１５は、スピルオーバー１００と一体構造に形成することができることも理解される。
【０００７】
内蔵部材１１５の第１の部分１２０は、床面延長フランジ１１０と垂直に、かつ床面延長フランジ１１０の中間点から延び、水平トラフ４０の上方に配置される。第１の部分１２０のいずれかの側を通ることによってスピルオーバーフィッティングに入る、あらゆるケーブルを保護するように、第１の部分１２０は丸みを帯びていることが好ましい。第２の部分１２５は、第１の部分１２０に垂直に、対向する方向に延びる一対のアームを有する。第２の部分１２５のそれぞれのアームは、図１Ｆに最もよく見られるように、壁部１０８に近接した、それぞれの遠位端部１４５において湾曲部１４０を有する。ケーブル３０が水平トラフ４０から出て、またスピルオーバー１００内へ容易に経路付けられ、それから本来の位置に戻ることができるように第２の部分１２５の２つのアームを屈折可能にするため、内蔵部材１１５は、プラスチックのような、柔軟性があり、さらに弾性のある素材で形成され、これによってスピルオーバー１００内へのケーブル３０の収容に役立つ。
【０００８】
図２Ａおよび図２Ｂは、４×４インチの出口寸法を有して示される、スピルオーバー２００の別の実施形態を開示する。スピルオーバー２００は、そのサイズおよび内蔵部材２１５の構成を除いて、スピルオーバー１００と同一である。この実施形態では、スピルオーバー２００のサイズのため、内蔵部材２１５は内蔵部材１１５より大きい。
【０００９】
図３Ａ〜図３Ｃは、スピルオーバー３００の別の実施形態を開示する。スピルオーバー３００は、内蔵部材３１５の構成を除いて、スピルオーバー２００と同一である。第１の部分３２０のいずれかの側を通るケーブルの曲げ半径の制御を最小にするため、この実施形態では、内蔵部材３１５の第１の部分３２０は、十分大きく、かつ適切な半径をもって形成される。
【００１０】
図４Ａ〜図４Ｃは、スピルオーバー４００の別の実施形態を開示する。スピルオーバー４００は、内蔵部材４１５の第１の部分（図示しないが、第１の部分２２０と同一）上にクリップ留めされた曲げ半径制御部材４５０が追加されていることを除いて、スピルオーバー２００と同一である。図４Ｂおよび図４Ｃに最もよく見られるように、曲げ半径制御部材４５０は、第１の概ね平坦な面４５５、および第１の面４５５の反対側に第２の湾曲した面４６０を有する。図４Ｃに示すように、ケーブル３０が、示されるように右側から水平トラフ４０を出てスピルオーバー４００に入るとき、第２の面４６０は、第２の面４６０に沿って経路付けられるケーブル３０の曲げ半径を制御する。示された曲げ半径制御部材４５０は、左右逆でも使用できるようにはなっていないが、必要に応じて逆でも使用できるようにする可能性があることが理解される。左側から水平トラフ４０を出るケーブル３０を制御するため、制御部材４５０の左右逆の構成を使用できる可能性がある。
【００１１】
本発明の例の前述の記載は、例示および説明の目的でなされたものであって、本発明の開示した詳細な形態を網羅するか、またはこれらに限定することを意図しない。この説明は、当業者が、企図された特定の用途に適するようになされる様々な実施形態および種々の改良において本発明を最良に利用することができるよう、本発明の原理およびその実際的応用を最もよく説明するために選択したものである。本発明の範囲は、本明細書によって限定されないことが意図される。
【符号の説明】
【００１２】
３０  ケーブル
４０  水平トラフ
１００  スピルオーバー
１０５  壁部
１０６  床面
１０８  誘導壁部
１１０  延長フランジ
１１５  内蔵部材
１２０  第１の部分
１２５  第２の部分
１３０  スナップ機構
１３５  スナップアーム
１４０  湾曲部
１４５  遠位端部
２００  スピルオーバー
２１５  内蔵部材
３００  スピルオーバー
３１５  内蔵部材
３２０  第１の部分
４００  スピルオーバー
４１５  内蔵部材
４５０  曲げ半径制御部材
４５５  第１の概ね平坦な面
４６０  第２の湾曲した面
【図１Ａ】
2012511303.tif 000003
【図１Ｂ】
2012511303.tif 000004
【図１Ｃ】
2012511303.tif 000005
【図１Ｄ】
2012511303.tif 000006
【図１Ｅ】
2012511303.tif 000007
【図１Ｆ】
2012511303.tif 000008
【図２Ａ】
2012511303.tif 000009
【図２Ｂ】
2012511303.tif 000010
【図３Ａ】
2012511303.tif 000011
【図３Ｂ】
2012511303.tif 000012
【図３Ｃ】
2012511303.tif 000013
【図４Ａ】
2012511303.tif 000014
【図４Ｂ】
2012511303.tif 000015
【図４Ｃ】
2012511303.tif 000016
【国際調査報告】
2012511303.tif 000017
2012511303.tif 000018